(57)【要約】【課題】屋外から屋内への太陽光等の入射光を遮光するために、遮光性フィルムを窓ガラスやドアガラスに貼って使用した際に、その遮光性フィルムが光熱の吸収により熱を帯びたり蓄熱したりすることにより、遮光機能による屋内温度の上昇や温室効果の低減を阻害したりすることなく、結果として屋内温度の上昇や温室効果の増大を招くことがない遮光性フィルム、及び太陽光発電を可能とする遮光性フィルムを提供することにある。【解決手段】基材フィルム２の一面に光起電力発生層４を備え、該光起電力発生層４上又は該基材フィルム２の他面に規則的多数の微細な不透光性網点部３を備え、少なくとも該不透光性網点部３の表面には光反射網点３ａを備える。【選択図】図４
2011117162.tif 000002
【特許請求の範囲】
【請求項１】
透明乃至半透明な基材フィルム２の一面に、光起電力発生層４を備え、該光起電力発生層４上又は該基材フィルム２の他面に、規則的多数の不透光性網点部３を備え、少なくとも該不透光性網点部３の表面には光反射網点３ａを備えることを特徴とする遮光性窓用フィルム。
【請求項２】
透明乃至半透明な基材フィルム２の一面に、光起電力発生層４を備え、該光起電力発生層４上又は該基材フィルム２の他面に、規則的多数の不透光性網点部３を備え、少なくとも該不透光性網点部３の表面には光反射網点３ａを備え、前記基材フィルム２を挟んで光反射網点３ａと相対する位置には不透光網点３ｂを備えることを特徴とする遮光性窓用フィルム。
【請求項３】
請求項１又は２記載の遮光性窓用フィルムにおいて、前記光起電力発生層４が透光性層であって、基材フィルム２の一面にベタ状に形成されていることを特徴とする遮光性窓用フィルム。
【請求項４】
請求項１又は２記載の遮光性窓用フィルムにおいて、前記光起電力発生層４が不透光性層であって、前記基材フィルム２の一面に、前記不透光性網点部３の形成パターン総面積より大きい形成パターン総面積にて連続パターン状に形成されていることを特徴とする遮光性窓用フィルム。
【請求項５】
請求項１乃至４のいずれか１項記載の遮光性窓用フィルムにおいて、その一面又は他面側の最外面には接着剤層５が積層されていることを特徴とする遮光性窓用フィルム。
【請求項６】
請求項１乃至５のいずれか１項記載の遮光性窓用フィルムにおいて、前記不透光性網点部３の光反射網点３ａ、又は／及び不透光網点３ｂが、一層又は二層以上の多層に設けられていることを特徴とする遮光性窓用フィルム。
【請求項７】
請求項１乃至６のいずれか１項記載の遮光性窓用フィルムにおいて、前記不透光性網点部３の光反射網点３ａの受光面が光拡散面又は平滑鏡面であることを特徴とする遮光性窓用フィルム。
【請求項８】
請求項１乃至７のいずれか１項記載の遮光性窓用フィルムにおいて、前記不透光性網点部３の光反射網点３ａ及び不透光網点３ｂが亀甲（正六角形）状の網点であることを特徴とする遮光性窓用フィルム。
【発明の詳細な説明】
【技術分野】
【０００１】
本発明は、居住住宅や商工業建造物の窓ガラスやドアガラス等のガラス板の屋内側のガラス面に貼ることにより、屋外から屋内への太陽光等の入射光を遮光し、屋内の温度上昇や温室効果の低減を図るとともに、太陽光を利用して発電を可能とする遮光性窓用フィルムに関する。
【背景技術】
【０００２】
一般に建造物の窓ガラスやドアガラス等のガラス面に貼って太陽光などの外光を遮光するための窓用フィルムとしては、特許文献１に記載するような暗色系など各種色調の合成樹脂や金属等の縦糸と横糸とを格子状に織りこんだ通気性及び透光性のある網戸用フィルムや、透光性のある偏光フィルムなどの暗色系の色付きフィルムや、透光性のフィルム面に所定の開孔率を有する暗色系の不透明な微細な網点を配置したグラディエーションフィルム等の遮光性フィルムがある。
【０００３】
このような遮光性フィルムをガラス面に貼った窓ガラスやドアガラスは、屋外から屋内への太陽光などの外光の透光性と遮光性の機能と、屋外に対する屋内の適度な隠蔽性の機能とを備え、屋内の温度上昇や温室効果の低減を図ることができる。
【０００４】
ところで、このような従来の遮光性フィルムのうち、黒色など暗色系の色調の遮光性フィルムあるいは光反射率の低い遮光性フィルムは、白色など明色系の色調の遮光性フィルムや光反射率の低い遮光性フィルムに比較して紫外光域から可視光域の熱吸収性が高く、また熱伝導率もフィルムの材質にも因るが比較的高いものとなる。
【０００５】
そのため、特に暗色系の色調の遮光性フィルムや光反射性の低い遮光性フィルムを窓ガラスやドアガラスに貼って使用した際には、ガラス面に貼られている遮光性フィルムが、光熱の吸収により熱を帯びたり蓄熱したりして、遮光機能による屋内温度の上昇や温室効果の低減を阻害して、結果として屋内温度の上昇や温室効果の増大を招くという場合がある。
【先行技術文献】
【特許文献】
【０００６】
【特許文献１】特開平７−２１７３４１号公報
【発明の概要】
【発明が解決しようとする課題】
【０００７】
本発明の課題は、屋外から屋内への太陽光等の入射光を遮光するために、遮光性フィルムを窓ガラスやドアガラスに貼って使用した際に、その遮光性フィルムが光熱の吸収により熱を帯びたり蓄熱したりすることにより、遮光機能による屋内温度の上昇や温室効果の低減を阻害したりすることなく、結果として屋内温度の上昇や温室効果の増大を招くことがない遮光性フィルムを提供するとともに、太陽光を利用した発電を可能とする遮光性フィルムを提供することにある。
【課題を解決するための手段】
【０００８】
本発明の請求項１に係る発明は、透明乃至半透明な基材フィルム２の一面に、光起電力発生層４を備え、該光起電力発生層４上又は該基材フィルム２の他面に、規則的多数の不透光性網点部３を備え、少なくとも該不透光性網点部３の表面には光反射網点３ａを備えることを特徴とする遮光性窓用フィルムである。
【０００９】
本発明の請求項２に係る発明は、透明乃至半透明な基材フィルム２の一面に、光起電力発生層４を備え、該光起電力発生層４上又は該基材フィルム２の他面に、規則的多数の不透光性網点部３を備え、少なくとも該不透光性網点部３の表面には光反射網点３ａを備え、前記基材フィルム２を挟んで光反射網点３ａと相対する位置には不透光網点３ｂを備えることを特徴とする遮光性窓用フィルムである。
【００１０】
本発明の請求項３に係る発明は、上記請求項１又は２に係る遮光性窓用フィルムにおいて、前記光起電力発生層４が透光性層であって、基材フィルム２の一面にベタ状に形成されていることを特徴とする遮光性窓用フィルムである。
【００１１】
本発明の請求項４に係る発明は、上記請求項１又は２に係る遮光性窓用フィルムにおいて、前記光起電力発生層４が不透光性層であって、前記基材フィルム２の一面に、前記不透光性網点部３の形成パターン総面積より大きい形成パターン総面積にて連続パターン状に形成されていることを特徴とする遮光性窓用フィルムである。
【００１２】
本発明の請求項５に係る発明は、上記請求項１乃至４のいずれか１項に係る遮光性窓用フィルムにおいて、その一面又は他面側の最外面には接着剤層５が積層されていることを特徴とする遮光性窓用フィルムである。
【００１３】
本発明の請求項６に係る発明は、上記請求項１乃至５のいずれか１項に係る遮光性窓用フィルムにおいて、前記不透光性網点部３の光反射網点３ａ、又は／及び不透光網点３ｂが、一層又は二層以上の多層に設けられていることを特徴とする遮光性窓用フィルムである。
【００１４】
本発明の請求項７に係る発明は、上記請求項１乃至６のいずれか１項に係る遮光性窓用フィルムにおいて、前記不透光性網点部３の光反射網点３ａの受光面が光拡散面又は平滑鏡面であることを特徴とする遮光性窓用フィルムである。
【００１５】
本発明の請求項８に係る発明は、上記請求項１乃至７のいずれか１項に係る遮光性窓用フィルムにおいて、前記不透光性網点部３の光反射網点３ａ及び不透光網点３ｂが、亀甲（六角形、蜂の巣）状の網点であることを特徴とする遮光性窓用フィルムである。
【発明の効果】
【００１６】
本発明の遮光性窓用フィルムは、一面に規則的多数の不透光性網点部（又は微細な不透光性網点部）を備え、該不透光性網点部は光反射網点３ａを備え、その光反射網点の表面には光反射面を備えているため、屋外から屋内への太陽光等の入射光を遮光するために、本発明の遮光性窓用フィルムを不透光性網点部の光反射網点の反射面を屋外側に向けて、窓ガラスやドアガラスに貼って使用した際に、屋外側から屋内に入射する外光を、その不透光性網点部３の光反射網点３ａによって屋外方向に反射させることができる。
【００１７】
そのため、光反射網点３ａからガラス面に対する屋外側から屋内に入射する外光による光熱の熱伝動や熱吸収を抑制することができ、遮光性窓用フィルムを貼った窓ガラスやドアガラスの帯熱量や蓄熱量を抑制することができる。特に平滑な鏡面反射面状の光反射網点３ａを、梨地状、砂目状などの微細凹凸状の光拡散（又は不規則な光散乱）面とすることにより、ガラスに貼られた遮光性窓用フィルムによる屋外方向への反射光の眩しさを解消することができる。
【００１８】
また不透光性網点部３（光反射網点３ａ、不透光網点３ｂ）は、互いに隙間をもつように規則的に配置されているため、その隙間より窓外の風景を目視確認することができ、特
に網点部３を亀甲パターン（六角形）、蜂の巣状などの網点部とした場合、規則的に等間隔の隙間（直線帯状の亀甲パターン状の隙間）で各網点を配置することができ、そのためパターンの配置密度を高くし、光透過部（透光部）の領域を少なくすることができ、遮光性を高くすることができる。
【００１９】
このように本発明の遮光性窓用フィルムは、屋外から屋内への太陽光等の入射光を遮光することができ、従来の遮光性フィルムの遮光機能により発生するような屋内温度の上昇や温室効果の低減の阻害要因を解消して、屋内温度の上昇や温室効果の増大を招くことなく遮光できる優れた遮光性フィルムであり、窓用フィルム以外に多目的な遮光性フィルムとして使用することができ、窓用フィルムと同様の優れた効果を得ることができるものである。
【００２０】
また本発明の遮光性窓用フィルムは、不透光性網点部３を備えた基材フィルム２の一面に全面ベタ状、又は網点状など適宜パターン状に、太陽光により起電力を生じる光起電力発生層４を備えているため、光反射網点３ａを備えた不透光性網点部３により、屋外から屋内への太陽光等の入射光を遮光して屋外方向に反射させることができ、屋内温度の上昇や温室効果の低減を解消でき、屋内温度の上昇や温室効果の増大を招くことなく遮光できるとともに、不透光性網点部３が形成されていない領域に存在する光起電力発生層４が太陽光を受光して発電させることができる優れた遮光性フィルムであり、窓用フィルム以外に多目的な太陽光発電用の遮光性フィルムとして優れた効果を得ることができるものである。
【図面の簡単な説明】
【００２１】
【図１】本発明の遮光性窓用フィルムの一例を説明する正面図。
【図２】（ａ）〜（ｃ）は本発明の遮光性窓用フィルムの各例を説明する側断面図。
【図３】（ａ）〜（ｄ）は本発明の遮光性窓用フィルムの各例を説明する部分拡大側断面図。
【図４】（ａ）〜（ｂ）は本発明の遮光性窓用フィルムの使用例を説明する側断面図。
【図５】（ａ）〜（ｂ）は本発明の遮光性窓用フィルムの使用例の部分拡大側断面図。
【図６】（ａ）は本発明の遮光性窓用フィルムの亀甲パターンによる不透光性網点部を説明する部分正面図、（ｂ）はその部分側面図。
【発明を実施するための形態】
【００２２】
本発明の請求項１に係る遮光性窓用フィルムを、図面に基づいて以下に詳細に説明すれば、図１は、本発明の遮光性窓用フィルム１の一実施例を説明する平面図、図２（ａ）〜（ｃ）は、そのＸ−Ｘ側面図であり、２は透明乃至半透明な基材フィルム、３は不透光性網点部である。
【００２３】
本発明の遮光性窓用フィルム１は、図２（ａ）に示すように、透明乃至半透明な基材フィルム２の一面に、透光性層（透明層）であって、太陽光発電が可能なｎｐ結合型半導体セルから構成される光起電力発生層４をベタ状に備え、該光起電力発生層４上には規則的多数の不透光性網点部３を備え、該不透光性網点部３の表面には、光反射網点３ａを備えている。
【００２４】
あるいは図示しないが、図２（ａ）に示す基材フィルム２の光起電力発生層４を備えて
いない他面に、規則的多数の不透光性網点部３を備えていてもよく、該不透光性網点部３の表面には、光反射網点３ａを備えていてもよい。
【００２５】
また本発明の遮光性窓用フィルム１は、図２（ｂ）に示すように、透明乃至半透明な基材フィルム２の一面に、太陽光発電が可能なｎｐ結合型半導体セルから構成される光起電力発生層４を備えていて、該光起電力発生層４上に、規則的多数の不透光性網点部３を備え、該不透光性網点部３は、その表面に光反射網点３ａを備えている。
【００２６】
そして、前記不透光性網点部３は、光反射網点３ａと基材フィルム２を挟んで、該光反射網点３ａと整合して対向する位置には不透光網点３ｂを備えるものである。不透光性網点部３（光反射網点３ａ、不透光網点３ｂ）の各網点形状は、本発明においては特に限定されるものではないが、例えば、図１に示すように丸形状、あるいは亀甲（六角形、蜂の巣）状、四角形状などの適宜形状の網点である。
【００２７】
また本発明の遮光性窓用フィルム１は、図２（ｃ）に示すように、前記光起電力発生層４が、前記基材フィルム２の一面に、前記不透光性網点部３を構成する光反射網点３ａ、又は／及び不透光網点３ｂの形成パターン総面積より大きい形成パターン総面積にて、不透光性層（不透明層）として、連続パターン状（光起電力発生層４の不透光性層の有る部分と無い部分）に形成されている。
【００２８】
前記基材フィルム２の一面に光起電力発生層４が不透光性層であって連続パターン状に形成される場合には、該光起電力発生層４は、不透光性網点部３（光反射網点３ａ、又は／及び不透光網点３ｂ）の形成パターン総面積より大きい形成パターン総面積にて連続パターン状に形成されている。４ａは透明導電膜層（ＩＴＯ膜）であり、パターン状の発生層４を導通させるものである。
【００２９】
このように本発明の遮光性窓用フィルム１は、形成されている光起電力発生層４が透光性層または不透光性層であってもよいが、透光性層の場合は、図２（ａ）、図２（ｂ）に示すように基材フィルム２の一面にベタ状に形成されていて、不透光性層の場合は、図２（ｃ）に示すように基材フィルム２の一面にパターン状に形成されている。
【００３０】
本発明の遮光性窓用フィルム１の基材フィルム２上に積層形成される光起電力発生層４としては、透明な合成樹脂フィルム（ポリエステル系フィルムなど）面に、太陽光発電が可能なｎｐ結合型半導体セル層と、そのセル層を挟んで表裏にそれぞれ透明導電膜からなる＋電極と−電極を配置して構成される透光性又は不透光性のフィルム状の太陽光発電シートを使用することができる。
【００３１】
本発明の遮光性窓用フィルム１においては、その一面又は他面側の最外面には、必要に応じて接着剤層５（感熱接着剤層、感圧接着剤層）が積層されていて、接着剤層５を介して窓内側の窓部のガラス面へのフィルム１の貼り付けが可能となる。
【００３２】
また本発明の遮光性窓用フィルム１においては、前記不透光性網点部３の光反射網点３ａ、又は／及び不透光網点３ｂは、一層又は二層以上の多層に設けられている。
【００３３】
また本発明の遮光性窓用フィルムにおいては、前記不透光性網点部３の光反射網点３ａの表面（外光受光面）は、光拡散面又は平滑鏡面となっいる。
【００３４】
本発明の遮光性窓用フィルム１の基材フィルム２としては、例えばポリエチレン、ポリスチレン、ポリエチレンテレフタレート樹脂、あるいはアクリル樹脂、ポリメチルメタアクリレート樹脂等の合成樹脂製の平滑面又は拡散面を持つ透明乃至半透明なフィルム又は
シートが使用される。
【００３５】
図１及び図２（ａ）〜（ｃ）に示すように、基材フィルム２の一面（表面又は裏面）には、全面ベタ状に、太陽光発電が可能な光起電力発生層４を備えている。光起電力発生層４の表面及び光起電力発生層４の基材フィルム２側には、発生層４の電極として透明導電膜層を備えている。
【００３６】
そして、光起電力発生層４上には規則的多数の不透光性網点部３を備えていて、少なくとも、該不透光性網点部３は、その基材フィルム２側に対して反対側に、光拡散面又は平滑な鏡面の光反射網点３ａを備えている。
【００３７】
また本発明の遮光性窓用フィルム１は、図２（ａ）に示すように、基材フィルム２の一面（表面又は裏面）には、網点状など適宜パターン状に光起電力発生層４を備え、該光起電力発生層４上、又は光起電力発生層４及び基材フィルム２上に、光拡散面又は平滑な鏡面の光反射網点３ａ又は／及び不透光網点３ｂから構成される規則的多数の不透光性網点部３を備えている。
【実施例】
【００３８】
本発明の遮光性窓用フィルムにおいて、基材フィルム２面に形成される不透光性網点部３のパータン形成方法としては、フォトリソグラフィ法やフォトレジスト法があるが、例えば、実施例として次のような工程による製法がある。
【００３９】
＜実施例１＞
例えば、図２（ａ）、図３（ａ）に示す遮光性窓用フィルム１の不透光性網点部３のパータン形成方法としては、基材フィルム２（透明乃至半透明）の平滑面又は光拡散面を有する一面に、全面ベタ状に積層形成された光起電力発生層４（その電極）上に、光硬化型（光重合型、放射線重合型）の感光性樹脂層を均一厚さに平滑に塗布した後、その感光性樹脂層の表面に、規則的に縦横方向に所定の間隔を持たせて、互いに各網点（各パターン）に間隙を配置して配列した多数の無地網状の網点パターン（ネガパターン）を露光して、露光部を硬化させる。
【００４０】
次に該感光性樹脂層の表面に、真空蒸着法にて真鍮、銅、アルミ等の金属材料を蒸着ターゲットとして金属蒸着薄膜を蒸着して金属蒸着薄膜による光反射性の表面を形成する。この金属蒸着薄膜は、この時、後述する不透光性網点部３を構成する光反射網点３ａを光拡散面とする場合には、この金属蒸着薄膜による光反射性の表面にサンドブラスト法などにて梨地状、砂目状などの微細な凹凸を形成する。
【００４１】
その後、前記感光性樹脂層を有機溶剤（硬化した感光性樹脂層を溶解しない溶剤）にて現像処理することにより、不透光性網点部３となる露光部（網点部）の硬化した感光性樹脂層以外の未露光部の未硬化（未重合）の感光性樹脂層を除去して、感光性樹脂層の硬化した網点部の表面に、金属蒸着薄膜層からなる鏡面状又は光拡散状の光反射網点３ａを備えた二層からなる不透光性網点部３を形成して、全面ベタ状の光起電力発生層４とパターン状の不透光性網点部３を備えた本発明の遮光性窓用フィルム１が形成される。
【００４２】
その後に、必要に応じて不透光性網点部３の光反射網点３ａ上より、基材フィルム２の全面に接着剤（感熱性接着剤、又は感圧性接着剤（粘着剤））を塗布して、後述する接着剤層５を積層形成して、接着剤層５を介して窓内側の窓部のガラス面へのフィルム１の貼り付けが可能となる。又は、不透光性網点部３の形成側と反対側の基材フィルム２の全面に接着剤を塗布して接着剤層５を積層形成して、粘着剤層５を介して窓外側の窓部のガラス面にフィルム１を貼り付けても構わない。
【００４３】
なお、図２（ａ）、図３（ａ）において、金属蒸着薄膜層により形成された不透光性網点部３の光反射網点３ａの平滑面を有する基材フィルム２面側は、鏡面状の光反射網点３ｃとなり、光散乱面２ａを有する基材フィルム２面側は光散乱状の光反射網点３ｃ（光拡散）となる。
【００４４】
図３（ｂ）は、上記実施例１における基材フィルム２の一面に積層形成した光起電力発生層４を、基材フィルム２の他面に積層形成して、実施例１と同様にして形成した本発明の遮光性窓用フィルムである。
【００４５】
＜実施例２＞
図２（ｂ）、図３（ｃ）に示す遮光性窓用フィルム１の不透光性網点部３のパータン形成方法としては、基材フィルム２（透明乃至半透明）の平滑面又は光拡散面を有する一面に、全面ベタ状に積層形成された光起電力発生層４（その電極）上に、光硬化型（光重合型、放射線重合型）の感光性樹脂を用いて均一厚さに平滑に塗布して感光性樹脂層を形成した後、その感光性樹脂層の表面に、規則的に縦横方向に所定の間隔を持たせて、互いに各網点（各パターン）に間隙を配置して配列した多数の無地網状の網点パターン（ネガパターン）を露光して、露光部を重合硬化させ、未露光部（未硬化部）を現像液（有機溶剤）にて除去して基材フィルム２の裏面に不透光網点３ｂを形成する。
【００４６】
次に基材フィルム２（透明乃至半透明）の一面に、光分解型の感光性樹脂層を均一厚さに平滑に塗布形成した後、該感光性樹脂層の表面に、規則的に縦、横方向に配列した多数の無地網状の網点パターン（ポジパターン）を露光して、不透光性網点部３の光反射網点３ａ以外の領域となる露光部を光分解させる。
【００４７】
次に前記感光性樹脂層を現像処理することにより、未露光部の未分解の感光性樹脂層以外の不透光性網点部３となる露光部（網点部）の光分解した感光性樹脂層を現像液（アルカリ性現像液）にて現像除去して、光反射網点３ａとなる露光部（網点部）に基材フィルム２を露呈させる。
【００４８】
次に該基材フィルム２の表面に現像後に残存する未露光部の未分解の感光性樹脂層上より、真空蒸着法にて真鍮、銅、アルミ等の金属材料を蒸着ターゲットとして金属蒸着薄膜を蒸着して光反射性の表面を形成し、露光部（網点部）の基材フィルム２の表面に、不透光性の金属蒸着薄膜層からなる光反射網点３ａを形成する。この時、後述する光反射網点３ａを光拡散面とする場合には、この金属蒸着薄膜による光反射性の表面にサンドブラスト法などにて梨地状、砂目状などの微細な凹凸を形成する。
【００４９】
その後、前記未露光部の未分解感光性樹脂層を、有機溶剤（感光性樹脂層を溶解する溶剤）にて溶解除去することにより、金属蒸着薄膜層からなる鏡面状又は光拡散状の光反射網点３ａを形成して、基材フィルム２を挟んで相対する位置に光反射網点３ａと光反射網点３ａとを設けた不透光性網点部３を備えた遮光性窓用フィルム１が形成される。
【００５０】
その後に、必要に応じて、不透光性網点部３の光反射網点３ａ上より基材フィルム２の全面に、又は不透光性網点部３の不透光網点３ｂ上より基材フィルム２の全面に、接着剤（感熱性接着剤又は感圧性接着剤（粘着剤））を塗布して、接着剤層４を積層形成することにより、図２（ｂ）又は図３（ｃ）に示すような不透光性網点部３に光反射網点３ａ、３ｂを備えた本発明の遮光性窓用フィルム１が形成される。
【００５１】
＜実施例３＞
図２（ｃ）、図３（ｄ）に示す遮光性窓用フィルム１の不透光性網点部３のパータン形
成方法としては、基材フィルム２（透明乃至半透明）の平滑面又は光拡散面を有する一面に、パターン状に積層形成された光起電力発生層４（少なくともその電極は連続導通パターン）上に、光硬化型（光重合型、放射線重合型）の感光性樹脂層を均一厚さに平滑に塗布した後に、その感光性樹脂層の表面に、連続パターン状に形成されている太陽光発電が可能な前記光起電力発生層４の形成パターン面積よりも小さい面積のパターンであって、規則的に縦横方向に、所定の間隔を持たせて、互いに各網点（各パターン）に間隙を配置して配列した多数の無地網状の網点パターン（ネガパターン、不透光性網点部３形成用パターン）を露光して、露光部を硬化させる。なお、図２（ｃ）、図３（ｄ）中、４ａは連続パターン状に形成された光起電力発生層４における発生層４のパターンが無い部分である。
【００５２】
次に該感光性樹脂層の表面に、真空蒸着法にて真鍮、銅、アルミ等の金属材料を蒸着ターゲットとして金属蒸着薄膜を蒸着して金属蒸着薄膜による光反射性の表面を形成する。この金属蒸着薄膜は、この時、後述する光反射網点３ａを光拡散面とする場合には、この金属蒸着薄膜による光反射性の表面にサンドブラスト法などにて梨地状、砂目状などの微細な凹凸を形成する。
【００５３】
その後、前記感光性樹脂層を有機溶剤（硬化した感光性樹脂層を溶解しない溶剤）にて現像処理することにより、不透光性網点部３となる露光部（網点部）の硬化した感光性樹脂層以外の未露光部の未硬化（未重合）の感光性樹脂層を除去して、感光性樹脂層の硬化した網点部の表面に、金属蒸着薄膜層からなる鏡面状又は光拡散状の光反射網点３ａを備えた二層からなる不透光性網点部３を形成して、図２（ｃ）、図３（ｄ）に示すような光起電力発生層４の形成パターン総面積より小さい形成パターン総面積の光反射網点３ａ、不透光網点３ｂから構成される不透光性網点部３を備えた本発明の遮光性窓用フィルム１が形成される。
【００５４】
なお、前記光起電力発生層４と不透光性網点部３の各々形成パターンは、互いに相似形でなくてもよいが、図２（ｃ）、図３（ｄ）に示すように、互いに相似形であって、各々パターン位置が上層と下層に整合したものでもよいし、整合していないものであってもよい。
【００５５】
その後に、必要に応じて不透光性網点部３上より基材フィルム２の全面に、接着剤（感熱性接着剤又は感圧性接着剤（粘着剤））を塗布して後述する接着剤層を積層形成するか、あるいは、不透光性網点部３の形成側と反対側の基材フィルム２の全面に接着剤を塗布して後述する接着剤層を積層形成する。
【００５６】
本発明の遮光性窓用フィルムは、居住住宅や商工業建造物の窓ガラスやドアガラス等のガラス板の屋内側又は屋外側のガラス面に貼ることにより、屋外から屋内への太陽光等の入射光を遮光して、屋内の温度上昇や温室効果の低減を図ることができる。
【００５７】
図４（ａ）は、本発明の遮光性窓用フィルム１を、その不透光性網点３の光反射網点３ａの光反射面をガラス面や樹脂製透明板面１０側にして貼り付けて取り付けた状態を説明する側断面図であり、図４（ｂ）は、本発明の遮光性窓用フィルム１を、その光反射網点３ａの光反射面をガラス面や樹脂製透明板面１０に対して反対側にして貼り付けて取り付けた状態を説明する側断面図である。
【００５８】
図５（ａ）は、本発明の遮光性窓用フィルム１を、屋内側のガラス面や樹脂製透明板面１０側に、その不透光性網点３の光反射網点３ａを屋外側に向けて接着剤層４（例えば感熱性接着剤層、感圧性粘着剤層）を介して貼り合わせた状態の部分拡大側断面図であり、屋外からの入射光Ｌは、不透光性網点３の形成面積率に対応して遮光され、且つその光反
射網点３ａにより屋外方向に反射される。また、前記不透光性網点３の光反射網点３ａが光拡散面（光散乱面）であれば、その光反射網点３ａによる反射光は、屋外側に対する眩しさを低減させて反射する。
【００５９】
図５（ｂ）は、本発明の遮光性窓用フィルム１を、屋外側のガラス面や樹脂製透明板面１０側に、その不透光性網点３の光反射網点３ａの光反射面を屋外側に向けて、接着剤層４（例えば感熱性接着剤層、感圧性粘着剤層）を介して貼り合わせた状態の部分拡大側断面図であり、屋外からの入射光Ｌは、不透光性網点３の形成面積率に対応して遮光され、且つその光反射網点３ａにより屋外方向に反射される。また、前記不透光性網点３の光反射網点３ａが光拡散面（光散乱面）であれば、その光反射網点３ａによる反射光は、屋外側に対する眩しさを低減させて反射する。
【００６０】
本発明の遮光性窓用フィルム１は、図６（ａ）の部分正面図、（ｂ）の部分側面図に示すように、不透光性網点部３（光反射網点３ａ、不透光網点３ｂ）を、規則的多数の亀甲パターン（六角形）状の網点としてもよい。
【００６１】
本発明の遮光性窓用フィルム１の不透光性網点部３を構成する光反射網点３ａ、不透光網点３ｂの微細度（細かさ）は、その不透光性網点部３の各網点の設定サイズと、不透光性網点部３を形成したフィルム１の総面積に対する透光領域（各光反射網点３ａ間、不透光網点３ｂ間の間隙領域）の総面積が占める割合（開口率）によって設定される。
【符号の説明】
【００６２】
１…遮光性窓用フィルム
２…透明乃至半透明な基材フィルム
３…不透光性網点
３ａ…光反射面
３ｂ…不透光網点
３ｃ…光反射面
４…光起電力発生層
４ａ…導電膜層
５…接着剤層
１０…窓ガラス等のガラス板（透明板）
【図１】
2011117162.tif 000003
【図２】
2011117162.tif 000004
【図３】
2011117162.tif 000005
【図４】
2011117162.tif 000006
【図５】
2011117162.tif 000007
【図６】
2011117162.tif 000008